(57)【特許請求の範囲】
【請求項１】
カメラのレンズマウントにアダプタを介して装着されるレンズユニットの絞りを駆動するシステムであって、
前記レンズマウントに設けられたフォーカスレンズ駆動用係合部と、
前記カメラに設けられ前記フォーカスレンズ駆動用係合部を駆動するモータと、
前記レンズユニットに設けられた絞り開閉用係合部と、
前記アダプタに設けられ、該アダプタを介して前記レンズユニットを前記レンズマウントに装着した状態で、前記フォーカスレンズ駆動用係合部と前記絞り開閉用係合部とを連結する連結機構と、
前記カメラに設けられ前記レンズマウントへの前記アダプタの装着を検出する検出手段と、
前記カメラに設けられ、前記検出手段の検出結果に基づいて前記モータを、オートフォーカス動作用の駆動パターンと、絞り開閉動作用の駆動パターンとに切り換えて駆動させる制御手段と、
を備えることを特徴とするカメラのレンズユニットの絞り駆動システム。
【請求項２】
レンズユニット或はレンズユニットが装着されたアダプタのいずれか一方が選択的に装着されるレンズマウントと、
前記レンズマウントに設けられ該レンズマウントに直接装着された前記レンズユニットのフォーカスレンズ作動用係合部に係合するフォーカスレンズ駆動用係合部と、
前記フォーカスレンズ駆動用係合部を駆動するモータと、
を有するカメラにおいて、
前記レンズマウントへの前記アダプタの装着を検出する検出手段と、
前記検出手段の検出結果に基づいて前記モータを、オートフォーカス動作用の駆動パターンと、絞り開閉動作用の駆動パターンとに切り換えて駆動させる制御手段と、
を備えたことを特徴とするカメラ。
【請求項３】
前記アダプタを介して前記レンズマウントに装着された前記レンズユニットの絞りの値を設定する絞り値設定手段をさらに備え、前記アダプタを前記レンズマウントに装着した状態で前記制御手段は、前記絞り値設定手段で設定された絞りの値に応じて前記モータを駆動させる請求項２記載のカメラ。
【請求項４】
絞り開閉用係合部を有するレンズユニットが装着され、フォーカスレンズ駆動用係合部を有するカメラに装着されるアダプタにおいて、
前記アダプタを介して前記レンズユニットを前記レンズマウントに装着した状態で、前記フォーカスレンズ駆動用係合部と前記絞り開閉用係合部とを連結する連結機構を設けた、
ことを特徴とするカメラレンズ用アダプタ。
【発明の詳細な説明】
【０００１】
【産業上の利用分野】
本発明は、絞り方式が異なるレンズユニットをアダプタを介してカメラのレンズマウントに装着する際の、前記レンズユニットの自動的な絞り駆動を可能とするカメラのレンズユニットの絞り駆動システムに関する。
【０００２】
【従来の技術】
一眼レフカメラにおいては一般に、レンズユニットがカメラボディのレンズマウントに着脱可能に装着されており、特に、自動露出機能が装備されている場合には、絞り機構に連結された絞り開閉用係合部が前記レンズユニットに設けられ、前記レンズマウントには、前記カメラボディに内蔵されたモータ、或は該モータでチャージされたスプリングで駆動され前記絞り開閉用係合部に係合する絞り開閉用係合部が設けられる。
【０００３】
また、近年では、規格が異なるレンズユニットをレンズマウントに装着可能とするアダプタが提供されており、例えば３５ｍｍ判よりも広い露光面積を有するブローニーフィルムを使用する６×４．５判カメラ用のレンズユニットや６×７判カメラ用のレンズユニットを、前記アダプタを用いて３５ｍｍ判カメラのカメラボディに装着することができるので、６×４．５判や６×７判といった中判カメラと３５ｍｍ判カメラの両システムで撮影する際に、所持しなくてはならないレンズユニットの本数を減らすことができる。
【０００４】
ところで、レンズユニットの絞り方式には、絞りが開放状態に付勢された加圧式のものと、絞りが閉塞状態に付勢された退避式のものとがある。
このため、前記アダプタを用いて前記カメラボディに装着されるレンズユニットの絞り方式が、カメラボディ側の絞り駆動方式と合致しない場合、カメラ側の絞り開閉用係合部とレンズ側の絞り開閉用係合部とを前記アダプタ内で単に連結しただけでは、レンズユニットの絞り機構をカメラボディ側から都合よく駆動させることができない。
そこで、従来のアダプタには、前記絞り開閉用係合部と前記絞り開閉用係合部とを連結するような機構が内部に設けられておらず、よって、アダプタを用いてカメラボディに装着したレンズユニットの絞り調節はマニュアル操作で行っていた。
【０００５】
【発明が解決しようとする課題】
従って従来は、アダプタを用いてレンズユニットをカメラボディに装着した場合、カメラボディ側でレンズユニットの絞りの駆動を制御することができず、例えば、カメラの測光手段の測光値に基づいて自動露出制御動作が行えないという不具合があった。
本発明は前記事情に鑑みてなされたもので、本発明の目的は、アダプタを用いてレンズユニットをカメラボディに装着した場合に、レンズユニットの絞りをカメラボディ側で駆動制御できるカメラのレンズユニットの絞り駆動システムを提供することにある。
【０００６】
【課題を解決するための手段】
上記目的を達成するために本発明は、カメラのレンズマウントにアダプタを介して装着されるレンズユニットの絞りを駆動するシステムであって、前記レンズマウントに設けられたフォーカスレンズ駆動用係合部と、前記カメラに設けられ前記フォーカスレンズ駆動用係合部を駆動するモータと、前記レンズユニットに設けられた絞り開閉用係合部と、前記アダプタに設けられ、該アダプタを介して前記レンズユニットを前記レンズマウントに装着した状態で、前記フォーカスレンズ駆動用係合部と前記絞り開閉用係合部とを連結する連結機構と、前記カメラに設けられ前記レンズマウントへの前記アダプタの装着を検出する検出手段と、前記カメラに設けられ、前記検出手段の検出結果に基づいて前記モータを、オートフォーカス動作用の駆動パターンと、絞り開閉動作用の駆動パターンとに切り換えて駆動させる制御手段とを備えることを特徴とする。
【０００７】
また、本発明は、レンズユニット或はレンズユニットが装着されたアダプタのいずれか一方が選択的に装着されるレンズマウントと、前記レンズマウントに設けられ該レンズマウントに直接装着された前記レンズユニットのフォーカスレンズ作動用係合部に係合するフォーカスレンズ駆動用係合部と、前記フォーカスレンズ駆動用係合部を駆動するモータとを有するカメラにおいて、前記レンズマウントへの前記アダプタの装着を検出する検出手段と、前記検出手段の検出結果に基づいて前記モータを、オートフォーカス動作用の駆動パターンと、絞り開閉動作用の駆動パターンとに切り換えて駆動させる制御手段とを備えたことを特徴とする。
さらに、本発明は、前記アダプタを介して前記レンズマウントに装着された前記レンズユニットの絞りの値を設定する絞り値設定手段をさらに備え、前記アダプタを前記レンズマウントに装着した状態で前記制御手段は、前記絞り値設定手段で設定された絞りの値に応じて前記モータを駆動させるものとした。
【０００８】
また、本発明は、絞り開閉用係合部を有するレンズユニットが装着され、フォーカスレンズ駆動用係合部を有するカメラに装着されるアダプタにおいて、前記アダプタを介して前記レンズユニットを前記レンズマウントに装着した状態で、前記フォーカスレンズ駆動用係合部と前記絞り開閉用係合部とを連結する連結機構を設けたことを特徴とする。
【０００９】
【実施例】
以下、本発明の実施例を、３５ｍｍ判カメラのカメラボディにアダプタを介して６×４．５判カメラのレンズユニットを装着する場合について説明する。
図１および図２において、１は３５ｍｍ判カメラのカメラボディ、３はカメラボディ１の前面１０１に設けられたレンズマウント、５は前記レンズマウント３に臨む前記カメラボディ１の内部箇所に配設された跳ね上げミラー、７は６×４．５判カメラ用のレンズユニット、９はアダプタであり、前記レンズユニット７は前記アダプタ９を介して前記レンズマウント３に装着される。
また、前記カメラボディ１の上面１０３には、電源スイッチに相当するメインスイッチ１０５とレリーズボタン１０７とが配設されている。
【００１０】
前記レンズマウント３は、環状の前面部３０１と内周面部３０３とにより前記カメラボディ１の前面１０１に膨出形成されている。
前記内周面部３０３によりレンズマウント３の内側に開口３０５が形成され、この開口３０５は、絞りと該絞りを閉塞方向に付勢する退避式の絞り機構とを内蔵した不図示の３５ｍｍ判カメラ用レンズユニットが嵌合される内径で形成されている。
【００１１】
また、前記前面部３０１には、前記３５ｍｍ判カメラ用レンズユニットを装着した状態でそのフォーカスレンズ駆動用カプラ（フォーカスレンズ作動用係合部に相当、図示せず）と係合するＡＦカプラ３０７（フォーカスレンズ駆動用係合部に相当）と、前記アダプタ９の装着を検出するアダプタ検知ピン３０９とが、前記カメラボディ１に対して出没可能に配設されている。
さらに、前記開口３０５の近傍の前記カメラボディ１の内部箇所には、前記３５ｍｍ判カメラ用レンズユニットを装着した状態でその絞り駆動用レバーと係合するスイングレバー３１１が、前記開口３０５内に延出し該開口３０５の周方向に揺動可能に配設されている。
【００１２】
前記ＡＦカプラ３０７は、前記カメラボディ１内に配設されたＡＦ駆動機構により回転駆動される。
前記ＡＦ駆動機構は、図３に示すように、ＡＦモータ３１３と、該ＡＦモータ３１３の出力軸に取着されたピニオンギア３１５と、該ピニオンギア３１５と噛合する駆動ギア３１７とを備え、前記ＡＦカプラ３０７は前記駆動ギア３１７と同軸上に設けられ、前記ＡＦモータ３１３の動力により前記ピニオンギア３１５及び駆動ギア３１７を介して前記ＡＦカプラ３０７が回転するように構成されている。
また、前記駆動ギア３１７の端面には圧縮バネ３１９が弾接しており、この圧縮バネ３１９によって前記ＡＦカプラ３０７は、前記前面部３０１から突出する方向に付勢されている。
【００１３】
尚、前記ＡＦカプラ３０７の係合状態は、前記駆動ギア３１７の端面に当接されたカプラ係合スイッチ３２１により検出され、また、前記ＡＦモータ３１３の回転量は、該ＡＦモータ３１３の出力軸に取着されたエンコーダ３２３により検出される。
【００１４】
前記アダプタ検知ピン３０９は、前記ＡＦカプラ３０７と同様に、不図示のバネにより前記前面部３０１から突出する方向に付勢されている。
前記アダプタ検知ピン３０９は、前記アダプタ９の装着時に、該アダプタ９の端面に当接して前記前面部３０１内に没入し、前記３５ｍｍ判カメラ用レンズユニットの装着時に、該レンズユニットの凹部（図示せず）に係合し、突出したままの状態となる。
【００１５】
前記アダプタ検知ピン３０９の出没状態は、前記カメラボディ１内に収容された検知スイッチ３２５（図４）により検出され、本実施例では、前記アダプタ検知ピン３０９と検知スイッチ３２５により検出手段が構成されている。
前記スイングレバー３１１は、例えば前記カメラボディ１内に配設された不図示のモータにより揺動される。
【００１６】
前記レンズユニット７は、不図示のフォーカスレンズ、絞り、及び該絞りを開放方向に付勢する加圧式の絞り機構を内蔵すると共に、前記フォーカスレンズを手動で駆動する際に回転操作されるフォーカスリング７０１や、前記絞りを手動で調節する際に回転操作される絞りリング７０３等を備えている。
【００１７】
前記レンズユニット７の端部には前記アダプタ９への装着部７０５が形成され、この装着部７０５は、環状の外周面部７０７と端面部７０９とにより構成され、外周面部７０７には係合爪７１１が形成され、端面部７０９には、前記絞り機構に連結され前記絞りの開閉に応じてスライドする絞り自動開閉駆動用の絞りレバー７１３（絞り開閉用係合部に相当）が設けられ、該絞りレバー７１３はスプリング（図示せず）により、前記絞りを全開状態とするスライド端方向に付勢されている。
つまり、前記レンズユニット７は、前記スプリングの付勢力に抗して前記絞りレバー７１３を図１中の矢印Ａ方向にスライドさせていくにつれ、前記絞りが次第に絞り込まれていくように構成され、前記絞りレバー７１３のスライド量が前記絞りの絞り込み量に対応している。
【００１８】
前記アダプタ９は環状の小径部９０１と大径部９０３とで構成され、前記小径部９０１は前記レンズマウント３の開口３０５に嵌合されるように形成され、前記大径部９０３は前記レンズユニット７の装着部７０５が嵌合されるように形成されている。
【００１９】
前記大径部９０３の内周面には、前記レンズユニット７を前記大径部９０３に装着した状態で前記係合爪７１１と係合し、該レンズユニット７と前記アダプタ９との係合状態を保持する係合爪９０５が突設され、また、前記小径部９０１の外周面にも、前記レンズマウント３に前記アダプタ９を装着した状態で該レンズマウント３の係合爪（図示せず）と係合し、前記アダプタ９とレンズマウント３との係合状態を保持する係合爪（図示せず）が突設されている。
【００２０】
さらに、前記大径部９０３の内周面で前記係合爪９０５より前記小径部９０１側の箇所には、該内周面の周方向にスライド可能に絞り操作片９０７が配設され、該絞り操作片９０７は、前記レンズユニット７を前記大径部９０３に装着した状態で、前記絞りレバー７１３の前記絞りを全開状態とするスライド端側の側部（図１中の絞りレバー７１３の上端部）と係合する。
【００２１】
前記絞り操作片９０７は、前記アダプタ９内に配設された動力伝達機構に連結されている。
前記動力伝達機構は、図３に示すように、前記大径部９０３内に収容され該大径部９０３側から突設された支持ピン９０９と長溝９１１により周方向に回転可能に支持され、前記絞り操作片９０７が取着された環状のリング部材９１３と、該リング部材９１３の内周縁に形成された内歯歯車９１５と、該内歯歯車９１５に噛合する駆動ギア９１７と、該駆動ギア９１７と同軸上に設けられ、前記アダプタ９を前記レンズマウント３に装着した状態で前記ＡＦカプラ３０７と係合する中継カプラ９１９とを備える。
【００２２】
前記中継カプラ９１９は、前記アダプタ９の前記レンズマウント３への装着時に前記ＡＦカプラ３０７の先端に当接し、前記ＡＦカプラ３０７は、前記中継カプラ９１９との係合が完全でないと該中継カプラ９１９により押圧され、前記圧縮バネ３１９の弾発力に抗して前記カメラボディ１内に没入する。
そして、前記動力伝達機構は、前記ＡＦカプラ３０７に前記中継カプラ９１９が完全に係合した状態で、前記ＡＦモータ３１３の動力により前記中継カプラ９１９、内歯歯車９１５、駆動ギア９１７、及びリング部材９１３を介して前記絞り操作片９０７がスライドするように構成されている。
【００２３】
尚、前記リング部材９１３は、前記大径部９０３側との間に架設されたコイルスプリング９２１により、前記絞り操作片９０７が前記絞りレバー７１３から離間する方向、つまり、図３中の矢印Ｂ方向に付勢され、該方向への前記リング部材９１３の回転が前記支持ピン９０９と長溝９１１との係合により規制されている。
従って、前記レンズユニット７を前記大径部９０３に装着した状態で前記絞り操作片９０７は、前記絞りを全開状態とするスライド端にある前記絞りレバー７１３の側部に当接する。
即ち、図１中で、前記絞りレバー７１３の上端部は前記絞り操作片９０７の下端部に当接し、前記絞り操作片９０７が前記絞りレバー７１３と係合する方向、つまり、図３中の矢印Ｃ方向への前記リング部材９１３の回転量に対応して、前記レンズユニット７の絞りが駆動されるように構成されている。
また、本実施例では、前記中継カプラ９１９、動力伝達機構、及び絞り操作片９０７により連結機構が構成されている。
【００２４】
前記カプラ係合スイッチ３２１、エンコーダ３２３、及び検知スイッチ３２５は、図４に示すようにＣＰＵ１０９に接続され、該ＣＰＵ１０９にはさらに、前記メインスイッチ１０５、前記レリーズボタン１０７の半押し状態時に閉成する測光スイッチ１１１、該レリーズボタン１０７の全押し状態時に閉成するレリーズスイッチ１１３、測光部１１５（絞り値設定手段に相当）、焦点検出部１１７、前記跳ね上げミラー５駆動用のソレノイド１１９、及びモータドライバ１２１がそれぞれ接続され、該モータドライバ１２１には前記ＡＦモータ３１３が接続されている。
【００２５】
前記ＣＰＵ１０９は、前記カプラ係合スイッチ３２１、検知スイッチ３２５、メインスイッチ１０５、測光スイッチ１１１、及びレリーズスイッチ１１３の開閉状態に応じて、前記測光部１１５、焦点検出部１１７、及びソレノイド１１９の作動と前記ＡＦモータ３１３の駆動とをそれぞれ制御する。
【００２６】
また、カメラボディ１のレンズマウント３の前面部３０１と、レンズユニット７の外周部７０７と、アダプタ９の小径部９０１と大径部９０３の端面には、それぞれ複数の接点からなるカメラ接点端子群３２５と、レンズ接点端子群７１３と、アダプタ接点端子群９２３，９２５を備えており、アダプタ接点端子群９２３，９２５間は、それぞれ信号線９２７で電気的に接続されている。
カメラ接点端子群３２５、レンズ接点端子群７１３、アダプタ接点端子群９２３，９２５は、アダプタ９を介してレンズユニット７をカメラボディ１のレンズマウント３に装着した時に、電気的に接続される位置にそれぞれ設けられている。
【００２７】
そして、レンズユニット７のレンズ接点端子群７１３は、レンズユニット７のフォーカスレンズ（図示省略）の開放絞り値、及び最小絞り値に対応したバイナリデータに合わせて、レンズユニット７をアダプタ９を介してレンズマウント３に装着した時に、レンズユニット７の種類によってカメラ接点端子群３２５の各接点に接地されるものと接地されないものとが組み合わされるように構成されている。
【００２８】
このように、カメラボディ１内のＣＰＵ１０９は、レンズユニット７のレンズ接点端子群７１３の各接点情報（フォーカスレンズの開放絞り値（最小絞り値）、及び最大絞り値の情報）を、アダプタ９のアダプタ接点端子群９２３，９２５と、カメラ接点端子群３２５を介して取り込み、装着されるレンズユニット７の開放絞り値、最小絞り値を把握することができる。
尚、この時に取り込まれる絞り値情報は、６×４．５判カメラ用の絞りデータであるので、そのままでは３５ｍｍ判カメラに利用できない（接点群のバイナリデータが３５ｍｍ判カメラ用レンズのバイナリデータと異なっている。）。このためカメラボディ１内のＣＰＵ１０９は、アダプタ９が装着されていることを条件に、取り込まれるこれらの絞り値情報を、予め不図示のメモリに格納されている補正データに基づいて、３５ｍｍ判カメラ用のレンズユニットにおける絞り値に補正換算し、補正後の絞り値データはＣＰＵ１０９での露出演算に利用される。
尚、この補正動作は、３５ｍｍ判カメラ用レンズと中判カメラ用レンズとでデータの整合がとれている場合は不要である。
【００２９】
次に、本実施例の動作を図５に示すフローチャートを参照して説明する。
先ず、前記メインスイッチ１０５が電源投入側に切り換えられると（ステップＳ１）、前記検知スイッチ３２５の開閉状態から、前記レンズユニット７を装着した前記アダプタ９と、前記３５ｍｍ判カメラ用レンズユニットとのどちらが前記レンズマウント３に装着されているのかを確認する（ステップＳ３）。
【００３０】
ステップＳ３で、前記３５ｍｍ判カメラ用レンズユニットの装着が確認されたならば、前記３５ｍｍ判カメラ用レンズユニットのフォーカスレンズを動かすように前記ＡＦモータ３１３を駆動制御する通常動作モード（ステップＳ５）に移行する。
前記通常動作モードでは、詳細な制御フローの説明は省略するが、前記レリーズボタン１０７の押圧操作に応じて、前記ＣＰＵ１０９の制御により、公知の自動露出動作、焦点検出部１１７からのデフォーカス量に基づいて合焦となるまでのレンズ駆動量を算出しレンズ駆動を行う所謂オートフォーカス動作、レリーズ動作、及びフィルム巻上げ動作が行われ、それらの動作の終了後には、前記メインスイッチ１０５が電源切断側に切り換えられていないかどうかを確認した上で（ステップＳ７）、前記ステップＳ３にリターンする。
【００３１】
また、前記ステップＳ３で、前記アダプタ９の装着が確認されたならば、次のステップＳ９で、前記カプラ係合スイッチ３２１の開閉状態から、前記ＡＦカプラ３０７と前記中継カプラ９１９とが完全に係合されているか否かを確認する。前記ステップＳ９で、前記カプラ係合スイッチ３２１が開放されており、前記中継カプラ９１９がＡＦカプラ３０７に完全に係合したことが確認されたならば、次のステップＳ１１で、前記絞り操作片９０７を前記絞りレバー７１３から離間させる方向、即ち、前記矢印Ｂ方向に前記リング部材９１３が回転されるように前記ＡＦモータ３１３を駆動する。
【００３２】
一方、前記ステップＳ９で、前記カプラ係合スイッチ３２１が閉成されており、前記ＡＦカプラ３０７と前記中継カプラ９１９との係合が完全でないことが確認されたならば、ステップＳ１３で、前記絞り操作片９０７を前記絞りレバー７１３に係合させる方向、即ち、前記矢印Ｃ方向に前記リング部材９１３が回転されるように前記ＡＦモータ３１３を駆動させて、前記中継カプラ９１９と係合するように前記ＡＦカプラ３０７を回転させ、次のステップＳ１５で、前記ステップＳ９と同様に、前記ＡＦカプラ３０７と前記中継カプラ９１９とが完全に係合されているか否かを確認する。
そして、前記ステップＳ１５で、前記中継カプラ９１９がＡＦカプラ３０７に完全に係合したことが確認されたならば、ＡＦモータ３１３の駆動を停止させ（ステップＳ１７）、その後、前記ステップＳ１１に移行する。
【００３３】
ところで、前記ステップＳ１１における前記ＡＦモータ３１３の駆動は、前記ステップＳ１３における前記ＡＦモータ３１３の駆動がステップＳ１１と逆方向であるために行われるものである。
詳細には、前記ステップＳ１３によるＡＦモータ３１３の駆動で前記中継カプラ９１９がＡＦカプラ３０７に完全に係合した後、該ＡＦモータ３１３の駆動が停止されるまでの間に前記リング部材９１３が前記矢印Ｃ方向に回転し、これに伴う前記絞りレバー７１３のスライドで前記絞りが絞り込まれる場合があるため、絞り込まれた前記絞りを全開状態に戻すために、前記ステップＳ１１で前記ＡＦモータ３１３が駆動される。
【００３４】
従って、前記ステップＳ１１に続くステップＳ１９では、前記カプラ係合スイッチ３２１の開放後の前記ＡＦモータ３１３の駆動による前記エンコーダ３２３の出力をモニタして、前記絞りレバー７１３が前記絞りの全開状態（開放状態）に対応するスライド端位置にあるか否かを確認する。
そして、前記ステップＳ１９で、前記エンコーダ３２３からの出力が一定時間以上なかった場合には、前記絞り操作片９０７の移動が停止されていて、前記絞りが全開状態となるスライド端に前記絞りレバー７１３が達している（図３に示す状態）ものと判断し、次のステップＳ２１で前記ＡＦモータ３１３の駆動を停止させる。
【００３５】
前記ステップＳ２１の後、前記レリーズボタン１０７が半押しされ、前記測光スイッチ１１１の閉成が確認されたならば（ステップＳ２３）、前記測光部１１５を作動させて、被写体（図示せず）の測光動作を行う（ステップＳ２５）。
そして、前記測光部１１５による測光結果を基に、前記絞りの絞り値を算出すると共に、その絞り値に応じた位置に前記絞りレバー７１３をスライドさせるのに必要な前記ＡＦモータ３１３の駆動量（パルス数）を算出する（ステップＳ２７）。
【００３６】
さらにその後、前記レリーズボタン１０７が全押しされ、前記レリーズスイッチ１１３の閉成が確認されたならば（ステップＳ２９）、前記絞り操作片９０７が前記絞りレバー７１３と係合する方向、即ち、前記矢印Ｃ方向（絞りの絞り込み方向）に前記リング部材９１３が回転されるように前記ＡＦモータ３１３を駆動させ、エンコーダ３２３の出力をモニタしながら、該ＡＦモータ３１３の駆動量が前記ステップＳ２７で算出した駆動量に達したところでＡＦモータ３１３の駆動を停止させる（ステップＳ３１）。
【００３７】
そして、ステップＳ３１の動作に連動してソレノイド１１９に通電し、跳ね上げミラー５を跳ね上げ駆動させる（ステップＳ３３）。
【００３８】
そして、ステップＳ３３での跳ね上げミラー５の跳ね上げ動作に連動してシャッタを駆動させて（ステップＳ３５）、絞り操作片９０７を絞りレバー７１３から離間させる方向、即ち、前記矢印Ｂ方向（絞りの開放方向）に前記リング部材９１３が回転されるように前記ＡＦモータ３１３を駆動させる（ステップＳ３７）。
そして、ステップＳ３７でＡＦモータ３１３が駆動された後に、跳ね上げミラー５が下がる（ステップＳ３９）。そして、ステップＳ３９で跳ね上げミラー５が元の位置に下がった後、フィルムの巻上げ動作と前記シャッタのチャージを行い（ステップＳ４１）、メインスイッチ１０５が電源切断側に切り換えられていないかどうかを確認した上で（ステップＳ４３）、前記ステップＳ３にリターンする。
【００３９】
このように、本実施例の絞り駆動システムによれば、レンズユニット７が装着されたアダプタ９をレンズマウント３に装着した状態で、カメラボディ１内のＡＦ駆動機構中のＡＦモータ３１３の動力が、ＡＦカプラ３０７、アダプタ９の中継カプラ９１９、動力伝達機構、絞り操作片９０７、レンズユニット７の絞りレバー７１３を介して絞りに伝達されるように構成し、前記レンズマウント３のアダプタ検知ピン３０９及び検知スイッチ３２５により、前記アダプタ９がレンズマウント３に装着されたことが検知された場合に、前記絞りの開閉を前記ＡＦモータ３１３により行うようにした。
このため、カメラボディ１やアダプタ９、或はレンズユニット７自体に絞り用の新たな駆動源を設けることなく、カメラボディ１側で該カメラボディ１の既存の駆動源により前記レンズユニット７の絞り駆動制御ができ、絞り方式が異なるレンズユニットの装着時にも、自動露出制御が可能となる。
【００４０】
尚、本実施例では、３５ｍｍ判カメラのレンズマウント３にアダプタ９を介して６×４．５判カメラのレンズユニット７を装着する場合について説明したが、本発明はこれに限らず、３５ｍｍ判カメラのレンズマウントにアダプタを介して６×７判カメラのレンズユニットを装着する場合等にも適用可能であり、さらに、加圧式の絞り機構を内蔵した３５ｍｍ判カメラのレンズユニットを、退避式の絞り機構に対応した絞り駆動手段を有する３５ｍｍ判カメラのレンズマウントにアダプタを介して装着する場合等にも適用可能であることは言うまでもない。
また、本実施例では、前記測光部１１５による測光結果を基に絞り値を決定し絞りを駆動したが、例えばカメラボディ１に絞り値手動設定用の操作部材を設け、該操作部材により設定された絞り値に基づいて絞りを駆動するようにしてもよい。
【００４１】
【発明の効果】
上述したように本発明によれば、カメラのレンズマウントにアダプタを介して装着されるレンズユニットの絞りを駆動するシステムであって、前記レンズマウントに設けられたフォーカスレンズ駆動用係合部と、前記カメラに設けられ前記フォーカスレンズ駆動用係合部を駆動するモータと、前記レンズユニットに設けられた絞り開閉用係合部と、前記アダプタに設けられ、該アダプタを介して前記レンズユニットを前記レンズマウントに装着した状態で、前記フォーカスレンズ駆動用係合部と前記絞り開閉用係合部とを連結する連結機構と、前記カメラに設けられ前記レンズマウントへの前記アダプタの装着を検出する検出手段と、前記カメラに設けられ、前記検出手段の検出結果に基づいて前記モータを、オートフォーカス動作用の駆動パターンと、絞り開閉動作用の駆動パターンとに切り換えて駆動させる制御手段とを備える構成とした。
このため、レンズユニットの絞りを、アダプタを介してカメラボディ側から駆動制御することができ、アダプタを用いてレンズユニットをカメラボディに装着した場合の使い勝手を向上させることができる。
【図面の簡単な説明】
【図１】本発明の一実施例による絞り駆動システムの概略構成図である。
【図２】本実施例に係るカメラボディと、レンズユニットとアダプタの装置状態を示す概略図である。
【図３】図１、図２に示すカメラボディ及びアダプタ内の要部機構図である。
【図４】図３に示すＡＦモータの駆動制御系の概略構成を示すブロック図である。
【図５】図４に示すＣＰＵの制御動作を示すフローチャートである。
【符号の説明】
１  カメラボディ
１０９  ＣＰＵ（制御手段）
１１５  測光部（絞り値設定手段）
３  レンズマウント
３０７  ＡＦカプラ（フォーカスレンズ駆動用係合部）
３０９  アダプタ検知ピン（検出手段）
３１３  ＡＦモータ
３２５  検知スイッチ（検出手段）
７  レンズユニット
７１３  絞りレバー（絞り開閉用係合部）
９  アダプタ
９０７  絞り操作片（連結機構）
９１３  リング部材（連結機構）
９１５  内歯歯車（連結機構）
９１７  駆動ギア（連結機構）
９１９  中継カプラ（連結機構）
【図１】
0003579470.tif 000002
【図２】
0003579470.tif 000003
【図３】
0003579470.tif 000004
【図４】
0003579470.tif 000005
【図５】
0003579470.tif 000006